【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
表裏一対のシート2，3を有し、該表裏一対のシートにおいて、その左側端縁同士を連結する左側端部10aと、その右側端縁同士を連結する右側端部10bと、その下端縁同士を連結する下端部と、その上端縁間に開口部とを有する封筒であって、
前記開口部の内方に上下分離線21a、21bが形成されており、
該上下分離線と前記下端部との間において、該上下分離線と前記下端部を結ぶように側方分離線22a、22bが形成されており、上下分離線21a、21bと側方分離線22a,22bよりも内側の表面に印刷がされていることを特徴とする、
シートの上端縁を上下分離線21a、21bにおいて他の部分から分離する場合に、開封することができ、次いで右側端部10bを側方分離線22a,22bおいて封筒の他の部分から分離する場合に、下端部と左側端部だけで表裏一対のシート２，３が連結されたファイル部１１と、その他の開封部１２とに分離することができ、ファイル部１１は、その上端と右端に連続する開口部を有する袋となり、市販されている２辺が開口部となったファイル部１１表面に印刷がされている書類ホルダと実質同様の形状となる、ダイレクトメール用封筒。
【請求項２】
前記上下分離線と前記側方分離線とが、アール部を介してつながっていることを特徴とする請求項１記載のダイレクトメール用封筒。
【請求項３】
前記上下分離線と前記側方分離線が、前記表裏一対のシートにおいて、ミシン目によって形成されたものである
ことを特徴とする請求項１記載のダイレクトメール用封筒。
【請求項４】
前記上下分離線と前記側方分離線が、前記表裏一対のシートにおいて、該シートの表面から凹んだ溝によって形成されたものである
ことを特徴とする請求項１記載のダイレクトメール用封筒。
【請求項５】
前記表裏一対のシートの素材が、光透過性を有する樹脂材料であって、シート２，３の表面に印刷をして、内部が見えないようになっていることを特徴とする請求項１、２、３または４記載のダイレクトメール用封筒。
【請求項６】
請求項１記載のシートの上端縁を上下分離線21a、21bにおいて他の部分から分離する場合に、開封することができ、次いで右側端部10bを側方分離線22a,22bおいて封筒の他の部分から分離する場合に、下端部と左側端部だけで表裏一対のシート２，３が連結されたファイル部１１と、その他の開封部１２とに分離することができ、ファイル部１１は、その上端と右端に連続する開口部を有する袋となり、市販されている２辺が開口部となったファイル部１１表面に印刷がされている書類ホルダと実質同様の形状となる、ダイレクトメール用封筒を製造する製造方法であって、
前記封筒を展開した形状であって、互いに対向する一対の側端縁を有し表面に印刷がされている展開シート１を形成し、
前記展開シート１において、該展開シートの上端縁の内方に前記上下分離線21ａ、21ｂを形成し、
前記展開シート１において、その下端縁と前記上下分離線との間において、前記上下分離線と該展開シートの下端縁を結ぶように一対の前記側方分離線22a、22bを形成し、
前記展開シートを、前記一対の側端縁同士が重なり合うように折り曲げて、該一対の側端縁同士、および重なり合った下端縁同士を連結する
ことを特徴とするダイレクトメール用封筒の製造方法。
【請求項７】
前記展開シートが、打ち抜き加工によって一の原シートから打ち抜かれて形成されたものであり、
前記原シートから前記展開シートを打ち抜くと同時に、該展開シートに、ミシン目によって前記上下分離線および前記側方分離線を形成する
ことを特徴とする請求項６記載のダイレクトメール用封筒の製造方法。
【請求項８】
前記ファイル部１１に想到する表面に印刷がされている展開シートが、打ち抜き加工によって一の原シートから打ち抜かれて形成されたものであり、
前記原シートから前記展開シートを打ち抜くと同時に、該展開シートに、該シートの表面から凹んだ溝によって前記上下分離線および前記側方分離線を形成する
ことを特徴とする請求項６記載のダイレクトメール用封筒の製造方法。
【手続補正２】
【補正対象書類名】明細書
【補正対象項目名】０００７
【補正方法】変更
【補正の内容】
【０００７】
第１発明の封筒は、シートの上端縁を上下分離線21a、21bにおいて他の部分から分離する場合に、開封することができ、次いで右側端部10bを側方分離線22a,22bおいて封筒の他の部分から分離する場合に、下端部と左側端部だけで表裏一対のシート２，３が連結されたファイル部１１と、その他の開封部１２とに分離することができ、ファイル部１１は、その上端と右端に連続する開口部を有する袋となり、市販されている２辺が開口部となったファイル部１１表面に印刷がされている書類ホルダと実質同様の形状となる、ダイレクトメール用封筒であって、表裏一対のシート2，3を有し、該表裏一対のシートにおいて、その左側端縁同士を連結する左側端部10aと、その右側端縁同士を連結する右側端部10bと、その下端縁同士を連結する下端部と、その上端縁間に開口部とを有する封筒であって、
前記開口部の内方に上下分離線21a、21bが形成されており、
該上下分離線と前記下端部との間において、該上下分離線と前記下端部を結ぶように側方分離線22a、22bが形成されており、上下分離線21a、21bと側方分離線22a,22bよりも内側の表面に印刷がされていることを特徴とする。
第２発明の封筒は、第１発明において、前記上下分離線と前記側方分離線とが、アール部を介してつながっていることを特徴とする。
第３発明の封筒は、第１発明において、前記上下分離線と前記側方分離線が、前記表裏一対のシートにおいて、ミシン目によって形成されたものであることを特徴とする。
第４発明の封筒は、第１発明において、前記上下分離線と前記側方分離線が、前記表裏一対のシートにおいて、該シートの表面から凹んだ溝によって形成されたものであることを特徴とする。
第５発明の封筒は、第１、２、３または４発明において、前記表裏一対のシートの素材が、光透過性を有する樹脂材料であって、シート２，３の表面に印刷をして、内部が見えないようになっていることを特徴とする。
第６発明の封筒の製造方法は、第１発明の封筒を製造する製造方法であって、前記封筒を展開した形状であって、互いに対向する一対の側端縁を有し表面に印刷がされている展開シート１を形成し、前記展開シートにおいて、該展開シートの上端縁の内方に前記上下分離線21ａ、21ｂを形成し、前記展開シートにおいて、その下端縁と前記上下分離線との間において、前記上下分離線と該展開シートの下端縁を結ぶように一対の前記側方分離線22a、22bを形成し、前記展開シートを、前記一対の側端縁同士が重なり合うように折り曲げて、該一対の側端縁同士、および重なり合った下端縁同士を連結することを特徴とする。
第７発明の封筒は、第６発明において、前記展開シートが、打ち抜き加工によって一の原シートから打ち抜かれて形成されたものであり、前記原シートから前記展開シートを打ち抜くと同時に、該展開シートに、ミシン目によって前記上下分離線および前記側方分離線を形成することを特徴とする。
第８発明の封筒は、第６発明において、前記前記ファイル部１１に想到する表面に印刷がされている展開シートが、打ち抜き加工によって一の原シートから打ち抜かれて形成されたものであり、前記原シートから前記展開シートを打ち抜くと同時に、該展開シートに、該シートの表面から凹んだ溝によって前記上下分離線および前記側方分離線を形成することを特徴とする。